(57)【特許請求の範囲】
【請求項１】
温風を吹き出して加温する第一加温装置（３１）及び第二加温装置（３２）を設け、第一加温装置（３１）は、燃料を燃焼させる燃焼炉（２３）と、燃焼炉（２３）で加熱された空気を送る温風管（２５）と、温風管（２５）で送られる温風を温室の内方へ向けて吹き出す複数の第一温風吹出口（３３）を備えると共に、燃焼炉（２３）及び温風管（２５）を温室外に配置し、第二加温装置（３２）は、電力により空気を加熱し、温風を温室の内方へ向けて吹き出す第二温風吹出口を備えると共に、温室内に配置され、複数の第一温風吹出口（３３）の間に、第二加温装置（３２）及び第二温風吹出口を配置した温室の暖房設備を設け、温室内の室温を検出する室温センサ（７４）を設け、第一加温装置（３１）が運転可能な場合は、室温センサ（７４）で検出される検出室温が第一の設定室温よりも低いとき、第一加温装置（３１）を運転し、第一の設定室温よりも低温の第二の設定室温を設定し、前記検出室温が第二の設定室温よりも低いとき、第一加温装置（３１）及び第二加温装置（３２）を運転する構成とし、清掃のために第一加温装置（３１）の運転を停止している場合は、前記検出室温が第一の設定室温よりも高温の第三の設定室温よりも低いとき、第二加温装置（３２）を運転する制御部（３８）を設けた栽培施設。
【請求項２】
温風管（２５）を地下に埋設した構成とすると共に、日射量を測定する日射量センサと、上方から栽培植物の葉を撮影する撮影装置と、炭酸ガスを供給する炭酸ガス施肥装置とを設け、制御部（３８）は、室温センサ（７４）で検出される室温と、日射量センサで測定される日射量と、撮影装置で撮影したデータから割り出される栽培植物の葉の面積とから、室温が高いほど炭酸ガス供給量を大きく設定し、日射量が高いほど炭酸ガス供給量を大きく設定し、栽培植物の葉の面積が大きいほど炭酸ガス供給量を大きく設定し、該炭酸ガス供給量に基づいて炭酸ガス施肥装置を制御する構成とした請求項１に記載の栽培施設。
【請求項３】
温室外の土壌の放射能の濃度を測定する放射能センサ（３７）を設け、該放射能センサ（３７）で測定される放射能の濃度が高いとき、養液供給装置（７）へ井戸水を供給する井戸水用開閉バルブ（３５）を閉じて井戸水の供給を規制し、水道水を供給する制御を行う構成とした請求項１又は請求項２に記載の栽培施設。
【請求項４】
温室内の複数の栽培ベッド（５）の間に通路（９）を設け、温室内の栽培ベッド（５）の左右には太陽光を栽培ベッド（５）上に反射させる反射板（１１５）を設け、該反射板（１１５）を栽培ベッド（５）側に折りたたみ可能に構成した請求項１から請求項３の何れか１項に記載の栽培施設。
【請求項５】
温室内の複数の栽培ベッド（５）の間に通路（９）を設け、栽培ベッド（５）の上側には左右各々の誘引ワイヤ（８０）を設け、栽培ベッド（５）上の栽培植物は、左右の誘引ワイヤ（８０）から垂れ下がる左右各々の誘引紐（８１）により、左右に振り分けて誘引される構成とし、左右に振り分けられた栽培植物の間には、左右幅を拡大させることができる左右幅変更部材（１０）を設け、左右幅変更部材（１０）の左右幅を拡大させることにより、左右に振り分けられた栽培植物が互いに離れる側へ移動して互いの間隔が広がる構成とした請求項１から請求項４の何れか１項に記載の栽培施設。
【請求項６】
温室内の栽培ベッド（５）の左右にエアノズル（９７）を設け、エアノズル（９７）からエアを吹き出させるためのエア吹出用ファン（９８）と、エアノズル（９７）からエアを吸引させるためのエア吹出用ファン（９８）とを設けた請求項１から請求項５の何れか１項に記載の栽培施設。
【請求項７】
温室内で収穫される収穫物の市場価格の推移を分析し、市場価格が高いときには温室内の目標室温を適温に設定して栽培植物を促成させる促成モードに設定し、市場価格が低いときには温室内の目標室温を低めに設定して栽培植物の生育を抑制させる抑制モードに設定して、暖房設備を制御する構成とした請求項１から請求項６の何れか１項に記載の栽培施設。
【発明の詳細な説明】
【技術分野】
【０００１】
この発明は、植物の栽培の技術分野に属する。
【背景技術】
【０００２】
化石燃料を燃焼させた熱を利用して温水を加温するボイラーである第一加温装置と、化石燃料以外から発生する熱を利用して温水を加温する太陽熱温水器である第二加温装置と、第一加温装置及び第二加温装置に温水を供給する加温管と、加温管により加温された温水をポンプへ供給するための第一供給管と、ポンプからの温水を温室内の暖房用管へ供給するための第二供給管と、暖房用管から加温管へ温水を戻すための戻り管を設け、加温管、第一供給管、第二供給管、暖房用管及び戻り管を経由する温水の循環経路を構成した温室の暖房設備が知られている（特許文献１参照）。
【０００３】
この温室の暖房設備は、温室を温室内で循環させて暖房する構成であるので、空気を加温し温風を吹き出して暖房する暖房設備と比較して、温室内での温度むらが少なく、温室内での暖房を均一に行える利点があるが、加温において熱量及び加温時間を要し、速やかに暖房が行えなかったり、加温に要する熱量が大きいのでランニングコストを要したり、という短所もある。
【先行技術文献】
【特許文献】
【０００４】
【特許文献１】特開２００８−２２０２１７号公報
【発明の概要】
【発明が解決しようとする課題】
【０００５】
本発明は、温風を吹き出して暖房する暖房設備において、温室内での温度むらを抑え、最適で良好な栽培を維持することを課題とする。
【課題を解決するための手段】
【０００６】
上記課題を解決するために、次のような技術的手段を講じた。
すなわち、請求項１に係る発明は、温風を吹き出して加温する第一加温装置（３１）及び第二加温装置（３２）を設け、第一加温装置（３１）は、燃料を燃焼させる燃焼炉（２３）と、燃焼炉（２３）で加熱された空気を送る温風管（２５）と、温風管（２５）で送られる温風を温室の内方へ向けて吹き出す複数の第一温風吹出口（３３）を備えると共に、燃焼炉（２３）及び温風管（２５）を温室外に配置し、第二加温装置（３２）は、電力により空気を加熱し、温風を温室の内方へ向けて吹き出す第二温風吹出口を備えると共に、温室内に配置され、複数の第一温風吹出口（３３）の間に、第二加温装置（３２）及び第二温風吹出口を配置した温室の暖房設備を設け、温室内の室温を検出する室温センサ（７４）を設け、第一加温装置（３１）が運転可能な場合は、室温センサ（７４）で検出される検出室温が第一の設定室温よりも低いとき、第一加温装置（３１）を運転し、第一の設定室温よりも低温の第二の設定室温を設定し、前記検出室温が第二の設定室温よりも低いとき、第一加温装置（３１）及び第二加温装置（３２）を運転する構成とし、清掃のために第一加温装置（３１）の運転を停止している場合は、前記検出室温が第一の設定室温よりも高温の第三の設定室温よりも低いとき、第二加温装置（３２）を運転する制御部（３８）を設けた栽培施設とした。
【０００７】
請求項２に係る発明は、温風管（２５）を地下に埋設した構成とすると共に、日射量を測定する日射量センサと、上方から栽培植物の葉を撮影する撮影装置と、炭酸ガスを供給する炭酸ガス施肥装置とを設け、制御部（３８）は、室温センサ（７４）で検出される室温と、日射量センサで測定される日射量と、撮影装置で撮影したデータから割り出される栽培植物の葉の面積とから、室温が高いほど炭酸ガス供給量を大きく設定し、日射量が高いほど炭酸ガス供給量を大きく設定し、栽培植物の葉の面積が大きいほど炭酸ガス供給量を大きく設定し、該炭酸ガス供給量に基づいて炭酸ガス施肥装置を制御する構成とした請求項１に記載の栽培施設とした。
請求項３に係る発明は、温室外の土壌の放射能の濃度を測定する放射能センサ（３７）を設け、該放射能センサ（３７）で測定される放射能の濃度が高いとき、養液供給装置（７）へ井戸水を供給する井戸水用開閉バルブ（３５）を閉じて井戸水の供給を規制し、水道水を供給する制御を行う構成とした請求項１又は請求項２に記載の栽培施設とした。
請求項４に係る発明は、温室内の複数の栽培ベッド（５）の間に通路（９）を設け、温室内の栽培ベッド（５）の左右には太陽光を栽培ベッド（５）上に反射させる反射板（１１５）を設け、該反射板（１１５）を栽培ベッド（５）側に折りたたみ可能に構成した請求項１から請求項３の何れか１項に記載の栽培施設とした。
請求項５に係る発明は、温室内の複数の栽培ベッド（５）の間に通路（９）を設け、栽培ベッド（５）の上側には左右各々の誘引ワイヤ（８０）を設け、栽培ベッド（５）上の栽培植物は、左右の誘引ワイヤ（８０）から垂れ下がる左右各々の誘引紐（８１）により、左右に振り分けて誘引される構成とし、左右に振り分けられた栽培植物の間には、左右幅を拡大させることができる左右幅変更部材（１０）を設け、左右幅変更部材（１０）の左右幅を拡大させることにより、左右に振り分けられた栽培植物が互いに離れる側へ移動して互いの間隔が広がる構成とした請求項１から請求項４の何れか１項に記載の栽培施設とした。
請求項６に係る発明は、温室内の栽培ベッド（５）の左右にエアノズル（９７）を設け、エアノズル（９７）からエアを吹き出させるためのエア吹出用ファン（９８）と、エアノズル（９７）からエアを吸引させるためのエア吹出用ファン（９８）とを設けた請求項１から請求項５の何れか１項に記載の栽培施設とした。
請求項７に係る発明は、温室内で収穫される収穫物の市場価格の推移を分析し、市場価格が高いときには温室内の目標室温を適温に設定して栽培植物を促成させる促成モードに設定し、市場価格が低いときには温室内の目標室温を低めに設定して栽培植物の生育を抑制させる抑制モードに設定して、暖房設備を制御する構成とした請求項１から請求項６の何れか１項に記載の栽培施設とした。
【発明の効果】
【０００８】
請求項１に係る発明によると、温風を吹き出して加温する第一加温装置３１及び第二加温装置３２により、速やかに暖房が行える。また、燃料を燃焼させて熱量を得る第一加温装置３１と、電力により熱量を得る第二加温装置３２の併用により、例えば、燃料が安価であるときは第一加温装置３１を優先的に運転させ、電力料金が安価であるときは第二加温装置３２を優先的に運転させる等、ランニングコストの低減を図ることができる。更に、第一加温装置３１の燃焼炉２３及び温風管２５を温室外に配置し、第二加温装置３２を温室内に配置したので、栽培施設において第一加温装置３１と第二加温装置３２を交錯させずに合理的に配置することができる。しかも、複数の第一温風吹出口３３の間に、第二加温装置３２及び第二温風吹出口を配置したので、温室内での暖房の均一化を図ることができる。
また、燃焼炉２３の清掃や灰の除去で第一加温装置３１を清掃するとき等、第一加温装置３１の運転を停止している場合でも、検出室温が第一の設定室温よりも高温の第三の設定室温よりも低いとき、第二加温装置３２を運転するので、第二加温装置３２のみで暖房するにも拘らず、第二加温装置３２により継続的に暖房運転ができる。
【０００９】
請求項２に係る発明によると、請求項１に係る発明の効果に加えて、温風管２５を地下に埋設したので、温風管２５により温室内への太陽光を遮ることを抑え、植物の生育を促進できる。また、無駄なく必要に応じて炭酸ガスを供給でき、植物の生育を促進すると共に、ランニングコストの低減が図れる。
請求項３に係る発明によると、請求項１又は請求項２に係る発明の効果に加えて、温室内の作物が放射能に汚染されることを防止でき、安全で安心な収穫物を消費者に提供することができる。
請求項４に係る発明によると、請求項１から請求項３の何れか１項に係る発明の効果に加えて、反射板１１５を栽培ベッド５側に折りたたむことにより、通路９上で作業することができる。
請求項５に係る発明によると、請求項１から請求項４の何れか１項に係る発明の効果に加えて、左右幅変更部材１０の左右幅を拡大させて左右に振り分けられた栽培植物の互いの間隔が広がることにより、栽培植物が太陽光を良好に受けることができる。
請求項６に係る発明によると、請求項１から請求項５の何れか１項に係る発明の効果に加えて、エアノズル９７からのエアの吹出により暑気払いを行うことができ、エアノズル９７からのエアの吸引により害虫を吸引して防除することができる。よって、エアノズル９７を共用してエア吹出とエア吸引の両方を行え、装置のコンパクト化及びコストダウンが図れると共に、低コストで栽培できる。
請求項７に係る発明によると、請求項１から請求項６の何れか１項に係る発明の効果に加えて、市場で同種の商品が多く市場価格が低いときには出荷を抑え、逆に市場で同種の商品が少なく市場価格が高いときには出荷を促進でき、収益の向上が図れる。
【図面の簡単な説明】
【００１０】
【図１】栽培施設を判り易く示す平面図
【図２】移動用帯体を示す正面図
【図３】移動用帯体を示す平面図
【図４】エアダクトを示す正面図
【図５】異なる形態のエアダクトを示す正面図
【図６】栽培ベッドの下方の構造を示す側面図
【図７】栽培ベッドの下方の構造を示す正面図
【図８】水路及びダクトを示す側面図
【図９】水路及びダクトを示す正面図
【図１０】栽培ベッドの上方にダクトを配置した形態を示す側面図
【図１１】栽培ベッドの上方にダクトを配置した形態を示す正面図
【図１２】養液供給装置の養液移送系統を判り易く示す図
【図１３】土壌の放射能の濃度を測定する放射能センサを設けた形態を判り易く示す図
【図１４】栽培植物の上部領域、上下中間領域及び下部領域を示す図
【図１５】各モードと栽培条件の関係を示す図表
【図１６】１年間における市場価格の変遷と年間生産計画を示すグラフ
【図１７】反射板を示す正面図（ａ：通常の栽培状態、ｂ：折りたたみ状態）
【図１８】異なる形態の反射板を示す正面図
【図１９】異なる形態の反射板を示す正面図
【図２０】異なる形態の反射板を収納する状態を示す側面図
【図２１】エア供給回路を判り易く示す図
【発明を実施するための形態】
【００１１】
この発明の実施の一形態を、以下に説明する。尚、以下の実施の形態は、あくまで実施の一形態であって、特許請求の範囲を拘束するものではない。
栽培施設は、暖房機や加湿機等により温度及び湿度等の室内環境が管理される温室である栽培室１と、該栽培室１に隣接する作業室２を備えている。前記栽培室１内の中央には作業者又は作業移動車（作業台車）あるいは防除作業車等が通過できるメイン通路４を設けており、このメイン通路４は、路面がコンクリートで構成されたコンクリート通路である。メイン通路４の両側の側方位置には、栽培条となる栽培ベッド５を多数列配置した作物を栽培するための栽培スペース６を構成している。尚、前記栽培ベッド５はロックウールで形成され、作業室２内の養液供給装置７から各栽培ベッド５へ養液が供給される構成となっている。また、メイン通路４の作業室２側の端には開閉扉を備える栽培室１への出入り口８を設け、出入り口８を介して隣接する作業室２へ行き来できる構成となっている。そして、作業移動車をメイン通路４から各栽培条（各栽培ベッド５）の間のサブ通路９に移動させ、該サブ通路９で栽培条（栽培ベッド５）に沿って作業移動車３を移動させながら栽培条に対する各種作業を行うことができる。尚、作業室２内には、前述した養液供給装置７と、収穫されたトマト等の収穫物（果実）を重量や大きさあるいは等級別に選別する選別装置を備えている。
【００１２】
栽培条（栽培ベッド５）の上側には、該栽培条に沿う誘引ワイヤ８０を各栽培条ごとに左右に２本設けている。栽培条に一列に並ぶ栽培植物（栽培株）は、左右の誘引ワイヤ８０により交互に振り分けて誘引される構成となっており、誘引ワイヤ８０から垂れ下がる誘引紐８１により誘引される。従って、例えばトマトを栽培する場合、トマトの茎が栽培ベッド５から誘引紐８１を伝って伸長することになる。
【００１３】
従来から、各栽培植物（栽培株）が効率良く受光するためには各栽培植物（栽培株）の間隔が栽培室１内全体にわたって略同等となるのが理想であり、そのために、誘引ワイヤ８０はサブ通路９の上方に位置しており、栽培植物がサブ通路９上にはみ出るようにしている。ところが、サブ通路９で作業移動車３を移動させながら栽培条に対する各種作業を行うとき、栽培植物がサブ通路９上にはみ出ていると、作業移動車３の移動の邪魔になり、作業が行いにくいおそれがある。そこで、誘引ワイヤ８０よりも低位で栽培ベッド５よりも上位で作業移動車３と同じ高さとなる位置には、各栽培条ごとに左右に振り分けられた栽培植物を栽培ベッド５側へ移動させる移動用帯体８２を設けている。この移動用帯体８２は、栽培植物の側方で該栽培植物に対してサブ通路９側に栽培条に沿って延設され、一端が栽培条の端部に固定され、他端は帯体巻取りモータ８３で駆動する帯体巻取り装置８４により巻き取りあるいは繰り出しできる構成となっており、帯体巻取りモータ８３で巻き取りあるいは繰り出しすることにより、栽培条に沿う帯体の長さを変更できる。これにより、通常栽培時には、帯体巻取り装置８４により帯体を繰り出して栽培条に沿う帯体を長くすることにより、栽培植物は移動用帯体８２にあまり規制されずにサブ通路９上にはみ出る位置となる。作業移動車３による作業時には、作業移動車３がサブ通路９に進入してきたことを移動用帯体８２に設けた進入検出センサ８５により検出すると、帯体巻取り装置８４により帯体を巻き取って栽培条に沿う帯体を短くすることにより、栽培植物は移動用帯体８２により栽培ベッド５側に寄せられ、作業移動車３の移動スペースを確保する。これにより、作業移動車３がサブ通路９に進入するのに連動して移動用帯体８２が自動的に作動し、栽培植物が作業移動車３の移動の邪魔になるのを防止するため、作業移動車３の移動スペースの確保に作業者の手を煩わせることを抑え、作業性が向上する。尚、移動用帯体８２は、内部に進入検出センサ８５の検出子となるワイヤを備えている。尚、進入検出センサ８５は防除作業車がサブ通路９に進入してきた場合も同様に検出でき、移動用帯体８２は、作業移動車３だけでなく、防除作業車がサブ通路９に進入するのに連動して作動する。
【００１４】
上述の形態とは別の形態として、逆に、栽培条ごとの左右の誘引ワイヤ８０を互いに近づけて配置し、誘引紐８１により誘引される栽培植物を、サブ通路９上の作業空間（作業移動車３の移動スペース）を確保できる位置に配置し、左右に振り分けられた栽培植物の間に、左右幅を拡大させることができる左右幅変更部材となる膨張可能なエアダクト１０を設け、エアダクト１０を膨張（左右幅変更部材の左右幅を拡大）させることにより、左右に振り分けられた栽培植物の互いの間隔を広くとり、各々の栽培植物が太陽光を良好に受けることができる構成としてもよい。エアダクト１０は、栽培条の方向に長く構成され、エアダクト１０の断面形状は、左右幅が小さく、上下に延びる栽培植物に的確に作用するべく、断面の上下幅が大きい楕円形状になっている。従って、通常の栽培時は、エアダクト１０にエアを供給してエアダクト１０を左右方向に膨張させ、膨張したエアダクト１０に栽培植物が押され、左右に振り分けられた栽培植物が互いに反対側に移動して互いの間隔を広げる。一方、サブ通路９上から作業するときは、エアダクト１０にエアを供給せずにエアダクト１０を萎ませ、栽培植物は重力により誘引ワイヤ８０の真下で鉛直方向に延びる状態となり、左右に振り分けられた栽培植物の互いの間隔を狭める。尚、エアダクト１０は、透明又は半透明であり、太陽光が透光される構成としている。そして、太陽光がエアダクト１０内を通過することにより散乱し、エアダクト１０から植物へ上下方向で均一に光を供給することができる。尚、エアダクト１０を、散乱性フィルム等の散乱効果のある素材で形成することが望ましい。また、後述する第一加温装置３１や第二加温装置３２等の温風暖房機からの温風をエアダクト１０内に供給する構成とすれば、エアダクト１０が加温されて近接する栽培植物への加温を良好に行うことができる。
【００１５】
更に、上述のエアダクト１０は断面を楕円形状としたが、エアダクト１０の断面を四角形状に構成してもよい。このエアダクト１０は、上下の固定フレーム１１の間で左右のフィルム１２を繋げて構成されている。複数（２個）のエアダクト１０を上下に連ねて設け、上下のエアダクト１０間の固定フレーム１１は上下のエアダクト１０で兼用している。尚、固定フレーム１１及びフィルム１２は、共に透明又は半透明であり、太陽光が透光される構成としている。このエアダクト１０は、エアを供給しても膨張せず、単に栽培植物間の空間を確保する構成となっている。栽培植物間の空間を確保することで、前記空間から左右の栽培植物が太陽光を良好に受けることができる。
【００１６】
尚、エアダクト１０内に照明装置１３を設けることにより、左右の栽培植物が照明装置１３からの光を効率良く受光できる。照明装置１３は、必要に応じて入切する構成とすればよい。
【００１７】
栽培ベッド５を支持する架台１４は、パイプ材を折り曲げて構成され、栽培条方向に延び栽培ベッド５を載置する上部と、該上部の両端を各々下方に屈曲させて形成された上下方向に延びる端部を備え、端部の下端を地面に打ち込んで固定される。パイプ材で構成される架台１４は、パイプ材の一端から暖房用の温水又は冷却用の冷却水を流水できる構成となっており、栽培ベッド５を暖房又は冷却して栽培植物の根圏部を冷暖房する構成となっている。冷却用の冷却水として、１８〜２０℃程度の低温である地下水を使用する。架台１４の上部を下側から受けて支持する正面視門型の支持フレーム１５を栽培条方向の適宜位置に複数（２個）設けており、該支持フレーム１５もパイプ材で構成されている。また、栽培ベッド５の下方には、除湿用パイプ１６を設けている。この除湿用パイプ１６は、地下水である冷水を流水して低温となることにより、表面に空気中の水分を結露させて除湿する構成であり、栽培条方向（前後方向）に延びる複数本の水平部と、複数本の水平部の両端の各々を接続して上下方向に延びる端部を備え、端部の下端を地面に打ち込んで固定される。栽培ベッド５から下方の架台１４、支持フレーム１５及び除湿用パイプ１６を覆う断熱用の発泡スチロールで形成された断熱カバー１７を設けている。そして、断熱カバー１７内には除湿用パイプ１６へ向けて前後方向に送風する循環用ファン１８を設けており、循環用ファン１８により断熱カバー１７内の空気を循環して冷暖房効果及び除湿効果を高める構成としている。これにより、冷暖房用の配管を架台１４で兼用できると共に、断熱カバー１７により栽培植物の根圏部の冷暖房の効率を高めることができ、コストダウンが図れる。しかも、冷暖房の効率を高めることにより発生しやすくなる断熱カバー１７内の湿度過多を、断熱カバー１７内の除湿用パイプ１６で除湿して防止できる。尚、冷却水として、栽培室１の外部に配置した養液供給装置７の原水タンク４４内の水を使用してもよい。
【００１８】
また、別の形態として、異なる冷却装置を構成することができる。この冷却装置は、栽培ベッド５の下方に水を貯留する水路１９を栽培条方向に延ばして設け、不織布で形成したダクト２０の下部を水路１９の水に接触させ、水路１９の水を吸水させることによりダクト２０を湿らせ、湿らせたダクト２０内に冷却用ファン２１が送風することにより、ダクト２０から気化冷却された空気を上方の栽培ベッド５へ供給する構成となっている。尚、水路１９の水は、地下水を利用してもよく、栽培ベッド５からの排液を利用してもよい。図例では、架台１４を構成するパイプに地下水を流水し、該パイプから水路１９に地下水が供給される構成としている。これにより、従来の吸水した板状のパットと送風ファンを使用するパットアンドファンの冷却装置と比較して、効率良く冷却できる。
【００１９】
また、前記ダクト２０を、栽培ベッド５の上方で且つ左右に振り分けた栽培植物の間に配置する構成としてもよい。これにより、栽培植物の近傍を冷却でき、更なる冷却効果の向上が図れると共に、植物の生長点や果実等の局所の冷却も可能になる。
【００２０】
ところで、養液供給装置７は、養液を貯留する第一タンク４１並びに第二タンク４２、硝酸を貯留する酸タンク４３及び原水を貯留する原水タンク４４を備え、これらのタンク４１，４２，４３，４４内に貯留する液が各主開閉バルブ４５，４６，４７，４８を介して混合装置４９に供給され、該混合装置４９で混合される構成となっている。尚、前記第一タンク４１と第二タンク４２とは、互いに肥料成分の異なる養液を貯留している。第一タンク４１、第二タンク４２並びに酸タンク４３から混合装置４９への供給経路（供給パイプ５０，５１，５２）において、前記各主開閉バルブ４５，４６，４７の供給上手側には、各々混合前のフィルター５３，５４，５５を設けている。更に、該混合前フィルター５３，５４，５５の供給上手側には、各々副開閉バルブ５６，５７，５８を設けている。混合装置４９で混合された養液は、養液ポンプ５９及び混合後のフィルター６０を介して給液パイプ６１により栽培室１内の各栽培ベッド５へ供給される。
【００２１】
そして、酸タンク４３からの供給経路（供給パイプ５２）において、副開閉バルブ５８及び混合前フィルター５５より供給下手側で主開閉バルブ４７より供給上手側には、分岐パイプ６２（分岐経路）を接続している。この分岐パイプ６２（分岐経路）は、第一タンク４１及び第二タンク４２からの供給経路（供給パイプ５０，５１）における副開閉バルブ５６，５７及び混合前フィルター５３，５４より供給下手側で主開閉バルブ４５，４６より供給上手側の各々の位置に接続され、酸タンク４３内の硝酸を第一タンク４１及び第二タンク４２からの供給経路（供給パイプ５０，５１）へ供給可能に構成している。尚、前記分岐パイプ６２の中途部には、電磁式の分岐用の開閉バルブ６３を設けている。第一タンク４１及び第二タンク４２からの供給パイプ５０，５１において、分岐パイプ６２の接続部より供給下手側で主開閉バルブ４５，４６より供給上手側には、供給パイプ５０，５１内の流量を検出する流量センサ６４，６５を各々設けている。また、養液ポンプ５９及び混合後のフィルター６０より供給下手側には栽培室１内の各栽培ベッド５すなわち給液パイプ６１へ液を供給せずに排出するための排出パイプ６６を接続しており、該排出パイプ６６に設けた電磁式の排出用の開閉バルブ６７により、養液ポンプ５９から吐出する液を給液パイプ６１へ供給する給液状態と排出パイプ６６を介して外部に排出する排出状態に切替可能に構成している。
【００２２】
従って、栽培室１内の各栽培ベッド５へ養液を供給する通常状態では、分岐用開閉バルブ６３及び排出用開閉バルブ６７を閉じ、混合装置４９で混合された養液を給液パイプ６１へ供給する。この養液供給時に、各々の流量センサ６４，６５により第一タンク４１及び第二タンク４２からの供給パイプ５０，５１内の流量を逐次検出する。そして、養液供給時の供給パイプ５０，５１内の流量が所定値以下になった場合は、栽培室１内の各栽培ベッド５への養液供給を停止しているときに、制御装置により自動的に分岐用開閉バルブ６３及び排出用開閉バルブ６７を開いて養液ポンプ５９を駆動し、酸タンク４３内の硝酸を分岐パイプ６２を介して第一タンク４１及び第二タンク４２からの供給パイプ５０，５１へ供給し、該硝酸を排出パイプ６６を介して外部に排出する。このとき、第一タンク４１及び第二タンク４２からの供給パイプ５０，５１において各々の副開閉バルブ５６，５７を自動的に閉じ、前記供給パイプ５０，５１に供給される硝酸が該供給パイプ５０，５１を逆流して第一タンク４１及び第二タンク４２へ供給されない。
【００２３】
また、養液ポンプ５９の供給下手側で混合後のフィルター６０の供給上手側には、養液ポンプ５９から吐出される養液を分岐して養液ポンプ５９の供給上手側で混合装置４９の供給下手側に戻す循環経路（循環パイプ６８）を接続している。この循環経路（循環パイプ６８）には電磁式の戻り用の開閉バルブ６９を設けており、混合後フィルター６０の供給下手側に設けた圧力センサ７０により給液パイプ６１への養液供給における圧力変動が大きいことを検出すると、制御装置により自動的に前記戻り用の開閉バルブ６９を開いて養液を循環経路（循環パイプ６８）を介して循環させ、給液パイプ６１内の圧力を安定させる構成となっている。また、前記循環経路（循環パイプ６８）には循環される養液の温度を検出する温度センサ７１を設けており、該温度センサ７１により養液の温度が所定値以上に上昇したことを検出すると、制御装置により強制的に養液ポンプ５９を停止させて循環パイプ６８で養液を循環させないようにして養液の温度低下を促すように構成している。
【００２４】
原水タンク４４には、養液の肥料濃度を検出するＥＣセンサ８６と、養液のペーハー値を検出するＰＨセンサ８７とを備えている。このＥＣセンサ８６及びＰＨセンサ８７の検出値に基づき、混合装置４９で混合される養液が所望の肥料濃度及びペーハー値となるよう、制御装置のメインの養液供給コントローラ８８により各主開閉バルブ４５，４６，４７，４８を制御する構成となっている。制御装置には予備制御盤８９を設けており、メインの養液供給コントローラ８８が故障したときには、各主開閉バルブ４５，４６，４７，４８の制御を前記予備制御盤８９により行える構成とし、該予備制御盤８９の制御に切り替えると、各主開閉バルブ４５，４６，４７，４８を予め設定した時間のみ開いて養液を作成し、養液を各栽培ベッド５へ簡易的に供給できる。
【００２５】
この栽培室１の暖房設備は、燃料である籾殻を燃焼させた熱を利用して温風を吹き出す第一加温装置３１と、電力により加熱した空気を温風として吹き出す第二加温装置（ヒートポンプ）３２を備えている。第一加温装置３１には、籾殻を貯留する籾殻タンク２２と、籾殻タンク２２から供給される籾殻を燃焼させる燃焼炉２３と、燃焼炉２３で籾殻を燃焼して生成される灰を貯留する灰タンク２４と、燃焼炉２３で加熱された空気を温風管２５へ送る送風ファン２６を備える籾殻燃焼ユニット２７を設けている。籾殻燃焼ユニット２７は、作業室２とは反対側の位置で栽培室１に隣接して栽培室１の外側に配置されている。尚、平面視で長方形状の栽培室１の対向する一方の短辺部２８に隣接して作業室２を配置し、他方の短辺部２８に隣接して籾殻燃焼ユニット２７を配置している。温風管２５は、籾殻燃焼ユニット２７に配置した吸気口２９から栽培室１内に配置した複数の吹出口となる第一温風吹出口３３へ温風を分岐して供給する構成となっており、籾殻燃焼ユニット２７から栽培室１の前記他方の短辺部２８の外側に沿い、更に栽培室１の対向する各々の長辺部３４の外側に沿って配管され、各々の長辺部３４ごとに計２本設けられている。尚、送風ファン２６の送風作用により、温風管２５内で温風が移送され、第一温風吹出口３３から温風が吹き出される。複数の第一温風吹出口３３は、栽培室１の長辺部３４の栽培室１内と外部を仕切る壁部近くの栽培室１内で、且つ各々の長辺部３４において所定間隔おきに４個ずつ計８個配置され、該壁部とは反対側すなわち栽培室１の内方へ向けて設けられている。尚、長辺部３４に沿う４個の第一温風吹出口３３間を構成する３箇所の間隔は、作業室２側の１箇所のみが小さく、残りの２箇所の間隔が前記１箇所よりも大きい同じ間隔に設定されている。従って、燃焼炉２３及び温風管２５を、栽培室１外に配置している。
【００２６】
第二加温装置３２は、栽培室１内の長辺部３４の壁部近くで、且つ、長辺部３４に沿って配置される第一温風吹出口３３の間と、栽培室１内の四隅部に配置されている。前記第一温風吹出口３３の間である前記残りの２箇所の中央位置に計２個の第二加温装置３２を並べて各々配置し、前記第一温風吹出口３３の間である前記作業室２側の１箇所において作業室２側に偏った位置に１個の第二加温装置３２を配置し、栽培室１内の四隅部に各々１個の第二加温装置３２を配置し、栽培室１内には計１４個の第二加温装置３２を配置している。各々の第二加温装置３２には、温風を吹き出す吹出口となる第二温風吹出口を備えている。各々の第二温風吹出口は、栽培室１の長辺部３４の壁部近くの栽培室１内で、且つ該壁部とは反対側すなわち栽培室１の内方へ向けて設けられている。従って、複数の第一温風吹出口３３の間に、第二加温装置３２及び第二温風吹出口を配置している。
【００２７】
第一温風吹出口３３及び第二温風吹出口は、栽培室１内のサブ通路９の方向（短辺部２８の方向）へ向けて温風を吹き出すので、温風をサブ通路９上の空間を通って栽培室１内全域にいきわたらせることができ、温室内での暖房の均一化を図ることができる。
【００２８】
一方、栽培室１には、栽培室１内の室温を検出する室温センサ７４を設けている。そして、制御部（コントローラ）３８が、第一の設定室温よりも室温センサ７４で検出される検出室温が低いとき、第一加温装置３１を運転する。更に、第二の設定室温よりも室温センサ７４で検出される検出室温が低いとき、第一加温装置３１及び第二加温装置３２を運転する。尚、第二の設定室温は、第一の設定室温よりも低温に設定されている。
【００２９】
また、第一加温装置３１は、燃焼炉２３の清掃や灰タンク２４内の灰の除去等、週一回程度の清掃を行わなければならない。その清掃時に第一加温装置３１の運転を停止したときには、第一の設定室温よりも検出室温が低くなれば、第二加温装置３２を運転する制御に自動的に切り替える構成としている。尚、第一加温装置３１の運転を停止したときは、第二加温装置３２でのみ暖房しなければならず、暖房効果が低下するので、第一の設定室温よりも高い第三の設定室温を設定し、第三の設定室温よりも検出室温が低くなれば、第二加温装置３２を運転する制御に自動的に切り替える構成としてもよい。よって、第二加温装置３２により、継続的に暖房運転ができる。
【００３０】
また、上述では、温風管２５を、籾殻燃焼ユニット２７から栽培室１の外側に壁部に沿って配管したので、壁部が透明又は半透明で太陽光を栽培室１内に取り込む構成としたとき、温風管２５により栽培室１内へ供給される太陽光を遮ることになってしまう。そこで、温風管２５の栽培室１の短辺部２８から長辺部３４に沿う横方向に延びる部分を地下に埋設すれば、栽培室１内へ供給される太陽光を遮ることが抑えられ、栽培室１内へ太陽光を十分に取り込むことで栽培室１内の室温上昇効果が図れ、暖房設備による暖房のランニングコストの低減が図れると共に、植物の光合成を促進でき、植物の生育を促進できる。
【００３１】
栽培室１内には、前記室温センサ７４の他に、日射量を測定する日射量センサと、上方から栽培植物の葉を撮影する撮影装置と、炭酸ガスを供給する炭酸ガス施肥装置を設けている。室温センサ７４で検出される室温と、日射量センサで測定される日射量と、撮影装置で撮影したデータから割り出される栽培植物の葉の面積から、制御部（コントローラ）３８により必要な炭酸ガス供給量を演算し、該炭酸ガス供給量に基づいて炭酸ガス施肥装置を吐出する。具体的には、室温が高いほど炭酸ガス供給量を大きく設定し、日射量が高いほど炭酸ガス供給量を大きく設定し、栽培植物の葉の面積が大きいほど炭酸ガス供給量を大きく設定し、炭酸ガスを必要とする植物の光合成が活発になる状況であるほど炭酸ガスを多く供給する。これにより、無駄なく必要に応じて炭酸ガスを供給でき、植物の生育を促進すると共に、ランニングコストの低減が図れる。従来は、栽培室１内に設けた炭酸ガス濃度センサの検出による炭酸ガス濃度に基づいて、所望の濃度にするべく炭酸ガスを供給していたので、植物の光合成があまり活発でない状況でも炭酸ガスを供給してしまい、無駄に炭酸ガスを供給する可能性がある。尚、栽培室１内に炭酸ガス濃度センサを設け、室温、日射量及び葉の面積に拘らず、炭酸ガス濃度が所定値以上であれば炭酸ガスの供給を停止する構成とすれば、更に炭酸ガスの無駄を抑えることができ、更なるランニングコストの低減が図れる。
【００３２】
また、栽培室１外に放射能の濃度を測定する放射能センサを設け、放射能センサで測定される放射能の濃度が高ければ、自動的に栽培室１の天窓を閉じる等の栽培室１の換気（外気の導入）を規制する制御を実行する。これにより、栽培室１内の作物が放射能に汚染されることを防止でき、安全で安心な収穫物を消費者に提供することができる。また、上述と同じ目的で、栽培室１外の土壌の放射能の濃度を測定する放射能センサ３７を設け、放射能センサで測定される放射能の濃度が高ければ、養液供給装置７の原水タンク４４へ井戸水を供給する井戸水用開閉バルブ３５を閉じ、原水タンク４４への井戸水の供給を規制する制御を実行する。尚、井戸水の他に、原水タンク４４へは水道水用開閉バルブ３６を介して水道水を供給できる構成となっており、井戸水を供給できないときは水道水を供給する。また、原水タンク４４内の水の放射能の濃度を測定する放射能センサ３７も設けており、原水タンク４４内の水が既に放射能に汚染されていると判断されるときは、養液供給装置７による養液供給を停止する制御を実行する。また、作物の栽培過程において、栽培室１内の室温及び栽培室１外の外気温等の変遷に基づく環境履歴、防除作業の履歴、栽培作物の糖度の変遷等の作物品質履歴並びに作物を撮影した画像に伴う撮影履歴と共に、前述した放射能の濃度の変遷に基づく放射能濃度履歴をまとめて栽培履歴として残し、作物の出荷先や消費者に開示し、作物の安全性をアピールすることができる。
【００３３】
また、栽培植物を撮影する撮影装置を搭載した撮影作業車を、サブ通路９上で走行させることができる。撮影作業車は、上下に延びる栽培植物を撮影するべく撮影装置を昇降可能に設けている。撮影装置の昇降位置に基づいて、上部領域９１を撮影しているときは画像解析により栽培植物の葉の面積を判断し、上下中間領域９２を撮影しているときは画像解析により収穫可能な果房の数を判断し、下部領域９３を撮影しているときは画像解析により栽培植物の葉の面積を判断する。そして、上部領域９１の葉の面積から誘引紐８１の繰出作業が必要か否かを判断する。つまり、葉の面積が小さければ栽培植物が未だ誘引ワイヤ８０に近いところまであまり伸長していないと判断して繰出作業が不要と判断し、葉の面積が大きければ栽培植物が誘引ワイヤ８０に近いところまで伸長している判断して繰出作業が必要と判断し、予め設定した繰出作業時間を考慮する。また、上下中間領域９２の収穫可能な果房の数から収穫作業時間を判断する。つまり、収穫可能な果房の数に対応して、数が多いほど収穫作業時間が長いと判断し、数が少ないほど収穫作業時間が短いと判断する。また、下部領域９３の葉の面積から葉欠き作業時間を判断する。つまり。葉の面積が小さければ葉欠き作業時間が短いと判断し、葉の面積が大きければ葉欠き作業時間が長いと判断する。これらの作業時間を作業をするサブ通路９ごとに合算し、各々のサブ通路９で作業者が要する作業時間を推測する。この作業時間の推測により、作業者の人員や割り振り、一日で作業をする領域の設定、作業者の賃金の設定等を行うことができ、栽培管理を適正に且つ容易に行える。
【００３４】
ところで、収穫物の出荷においては、収益性の向上を目的として、収穫物の価格が高くなる時期には出荷量を多くし、収穫物の価格が低くなる時期には出荷量を抑えることが望ましい。そこで、収穫物の市場価格の推移を分析し、市場価格が高いときには栽培植物を促成させる促成モードを設定し、市場価格が低いときには栽培植物の生育を抑制させる抑制モードを設定し、市場価格が標準的であるときには標準モードを設定する。促成モードでは、栽培室１内の目標室温を適温に設定して暖房設備を制御し、栽培室１内の目標炭酸ガス濃度を高めに設定して炭酸ガス施肥装置を制御し、養液の目標肥料濃度を高めに設定して養液供給装置７を制御し、目標日射量を高めに設定して照明装置１３等の栽培光を補う補光装置を制御する。抑制モードでは、栽培室１内の目標室温をかなり低めに設定して暖房設備を制御し、栽培室１内の目標炭酸ガス濃度を低めに設定して炭酸ガス施肥装置を制御し、養液の目標肥料濃度を低めに設定して養液供給装置７を制御し、目標日射量を低めに設定して遮光カーテン等の遮光装置を制御する。標準モードでは、栽培室１内の目標室温をやや低めに設定して暖房設備を制御し、栽培室１内の目標炭酸ガス濃度を標準に設定して炭酸ガス施肥装置を制御し、養液の目標肥料濃度を標準に設定して養液供給装置７を制御し、目標日射量を標準に設定して補光装置及び遮光装置を作動させない制御をする。つまり、各モードに対応して、室温、炭酸ガス濃度、養液の肥料濃度及び日射量を変更して制御する。これにより、市場で同種の商品が多く市場価格が低いときには出荷を抑え、逆に市場で同種の商品が少なく市場価格が高いときには出荷を促進でき、収益の向上が図れる。尚、上述では各モードを市場価格により設定する方法について説明したが、過去の実績から予測される１年間の各時期における市場価格に基づいて年間生産計画を策定し、年間生産計画に基づいて各々の時期において各モードを設定してもよい。尚、上述の各モードの設定や年間生産計画の策定等は、制御装置により自動的に実行される構成とすればよい。
【００３５】
前述の栽培ベッド５は架台１４により地面に支持される構成であるが、栽培室１内の上方から吊下支持部材１１４を介して栽培ベッド５を吊り下げて支持する構成としてもよい。このとき、架台がないので、栽培ベッド５の下方はメイン通路４上及びサブ通路９上と連通する空間が形成されるが、該空間と通路上（サブ通路９上）にわたる反射板１１５を設けることができる。該反射板１１５は、栽培ベッド５に対して左右に設けられ、サブ通路９上等に照射される太陽光を上側の栽培ベッド５上に反射させるべく、サブ通路９側よりも栽培ベッド５側が低位となる傾斜姿勢で配置される。そして、サブ通路９側となる反射板１１５の外側部１１６は、反射板１１５の内側部１１７に反射板回動軸１１８回りに左右方向に回動可能に取り付けられている。従って、反射板１１５の外側部１１６を左右内側（栽培ベッド５側）に回動させて折りたためば、サブ通路９上で作業移動車３又は防除作業車を走行させる等して作業を行うことができる。反射板１１５により、直射日光を受けにくい植物の下部の葉へ反射光を供給でき、植物の光合成を促進させて収穫物の収量増加を図ることができる。尚、反射板１１５は、表面に反射性フィルムを貼り付けた構成としてもよい。
【００３６】
尚、栽培ベッド５の側方に該栽培ベッド５と一体の茎受け部材１１９を設け、茎受け部材１１９により誘引ワイヤ８０（栽培ベッド５）と同じ方向に延びる植物の茎を受けることができるが、前述の栽培ベッド５の下方に反射板１１５を設ける構成に代えて、栽培ベッド５の側方に茎受け部材１１９と一体で反射板１１５を設ける構成とすることができる。反射板１１５の外側部１１６を水平にすれば、反射光が栽培ベッド５上に供給されにくくなり、夏場等の植物の高温化を避けることができる。また、栽培ベッド５の下方の空間に、細霧冷房装置や暖房装置等を配置でき、前記空間の有効利用が図れる。
【００３７】
また、反射板１１５を栽培ベッド５とは格別に反射板用吊下支持部材９４で吊り下げる構成とすることができる。この反射板１１５は、可撓性のあるフィルムで曲面状に形成されている。一方、栽培室１の天井部に栽培条方向に延びるレール９５を設け、十分に受光できて反射光が不要なときは、レール９５に沿って反射板用吊下支持部材９４を移動させることにより、反射板１１５を栽培条方向に折りたたみながら栽培条の端部に収納することができる。これにより、反射板１１５を栽培植物に干渉させずに収納できると共に、仮に反射板１１５が栽培植物に干渉しても、反射板１１５が可撓性のあるフィルムで形成されているから、栽培植物に傷を付けることを防止できる。
【００３８】
尚、例えば栽培ベッド５の側方に伸長する苺の栽培にあたっては、夏季の暑気払いやアザミウマ等の害虫の防除が必要となる。そこで、栽培ベッド５の左右両側にエア配管９６を設け、エア配管９６の上部の適宜位置に複数のエアノズル９７を上向きに設け、エアノズル９７からのエアの吹出により暑気払いを行い、エアノズル９７へのエアの吸引により害虫を吸引して防除することができる。エア吹出用ファン９８とエア吸引用ファン９９を設け、エア吹出用ファン９８から送風されるエアがエア切替弁１００を介してエア配管９６へ供給され、エア配管９６から吸引されるエアがエア切替弁１００を介してエア吸引用ファン９９へ到達するべく、エア供給回路を構成する。従って、エア吹出時とエア吸引時でエア切替弁１００によりエア流路を切り替える構成となっている。エア供給回路においてエア切替弁１００とエア吸引用ファン９９の間には害虫を受け止めるフィルタ１０１を設け、害虫がエア吸引用ファン９９に到達してエア吸引用ファン９９が詰まる等の故障の発生を防止している。よって、エア配管９６及びエアノズル９７等のエア供給回路の一部を共用してエア吹出とエア吸引の両方を行え、装置のコンパクト化及びコストダウンが図れると共に、格別の防除作業や防除用の薬剤が不要となり、低コストで栽培できる。
【００３９】
以上により、温室の暖房設備は、温風を吹き出して加温する第一加温装置３１及び第二加温装置３２を設け、第一加温装置３１は、燃料を燃焼させる燃焼炉２３と、燃焼炉２３で加熱された空気を送る温風管２５と、温風管２５で送られる温風を温室の内方へ向けて吹き出す複数の第一温風吹出口３３を備えると共に、燃焼炉２３及び温風管２５を温室外に配置し、第二加温装置３２は、電力により空気を加熱し、温風を温室の内方へ向けて吹き出す第二温風吹出口を備えると共に、温室内に配置され、複数の第一温風吹出口３３の間に、第二加温装置３２及び第二温風吹出口を配置している。
【００４０】
よって、温風を吹き出して加温する第一加温装置３１及び第二加温装置３２により、速やかに暖房が行える。また、燃料を燃焼させて熱量を得る第一加温装置３１と、電力により熱量を得る第二加温装置３２の併用により、例えば、燃料が安価であるときは第一加温装置３１を優先的に運転させ、電力料金が安価であるときは第二加温装置３２を優先的に運転させる等、ランニングコストの低減を図ることができる。更に、第一加温装置３１の燃焼炉２３及び温風管２５を温室外に配置し、第二加温装置３２を温室内に配置したので、栽培施設において第一加温装置３１と第二加温装置３２を交錯させずに合理的に配置することができる。しかも、複数の第一温風吹出口３３の間に、第二加温装置３２及び第二温風吹出口を配置したので、温室内での暖房の均一化を図ることができる。
【００４１】
また、温風管２５を地下に埋設したので、温風管２５により温室内への太陽光を遮ることを抑え、植物の生育を促進できる。
尚、温室の暖房設備として、第一加温装置３１及び第二加温装置３２からなる温風暖房機のみを使用する形態について説明したが、これとは別に温水を流水させて暖房する暖房機を設けた構成としてもよい。
【図１】
0005974481.tif 000002
【図２】
0005974481.tif 000003
【図３】
0005974481.tif 000004
【図４】
0005974481.tif 000005
【図５】
0005974481.tif 000006
【図６】
0005974481.tif 000007
【図７】
0005974481.tif 000008
【図８】
0005974481.tif 000009
【図９】
0005974481.tif 000010
【図１０】
0005974481.tif 000011
【図１１】
0005974481.tif 000012
【図１２】
0005974481.tif 000013
【図１３】
0005974481.tif 000014
【図１４】
0005974481.tif 000015
【図１５】
0005974481.tif 000016
【図１６】
0005974481.tif 000017
【図１７】
0005974481.tif 000018
【図１８】
0005974481.tif 000019
【図１９】
0005974481.tif 000020
【図２０】
0005974481.tif 000021
【図２１】
0005974481.tif 000022